(57)【要約】【課題】チャンネル番号や外部入力端子などを表す、入力映像信号に関する情報だけでなく、記録する外部メモリなどのメディアの残容量や記録状態などの状態情報を、ユーザがリモコン装置によるダイレクト操作によって容易に確認できる映像表示装置を提供する。【解決手段】映像表示装置１は、リモコン装置３０により操作可能な、メモリカードＭ等の外部メモリ読み取り機能付きとする。リモコン装置３０は、映像表示装置１の状態に関する状態情報を画面上に表示するための画面表示キーを有し、映像表示装置１は、リモコン装置３０における画面表示キーの押圧によって送信される画面表示キー信号を受信すると、状態情報として、現在画面に表示している入力映像信号の情報，外部メモリにおける記録に関する情報のいずれか一方又は双方の情報を、画面上に表示する。【選択図】図１
2005197954.tif 000002
【特許請求の範囲】
【請求項１】
リモコン装置により操作可能な、外部メモリ読み取り機能付きの映像表示装置において、前記リモコン装置は、当該映像表示装置の状態に関する状態情報を画面上に表示する状態信号を送出表示するための画面表示キーを有し、当該映像表示装置は、前記リモコン装置における前記画面表示キーの押圧によって送信される画面表示キー信号を受信する受信手段と、該受信した画面表示キー信号によって前記状態信号を入力映像信号に重畳する処理を行う制御手段とを有し、前記状態信号は、前記状態情報として、現在画面に表示している入力映像信号の情報，外部メモリ関連情報のいずれか一方又は双方の情報を、画面上に表示する信号であることを特徴とする映像表示装置。
【請求項２】
リモコン装置により操作可能な外部メモリ読み取り機能付きの映像表示装置において、前記リモコン装置は、当該映像表示装置の状態に関する状態情報を画面上に表示する状態信号を送出表示するための画面表示キーを有し、当該映像表示装置は、前記リモコン装置における前記画面表示キーの押圧によって送信される画面表示キー信号を受信する受信手段と、前記画面表示キーの押圧操作によって当該映像表示装置の状態情報を表す状態信号が入力映像信号に重畳する処理を行う制御手段とを有し、前記状態信号は、前記画面表示キーの押圧操作の順次操作に応じて、前記状態情報として、現在画面に表示している入力映像信号の情報と外部メモリ関連情報とを、順次選択表示可能とする信号であることを特徴とする映像表示装置。
【請求項３】
請求項１又は２項に記載の映像表示装置において、前記状態信号は、前記入力映像信号の情報及び前記外部メモリ関連情報のいずれもない第一状態信号と、前記入力映像信号の情報及び前記外部メモリ関連情報のいずれか一方を含む第二状態信号と、前記入力映像信号の情報及び前記外部メモリ関連情報の双方を含む第三状態信号とを含み、前記制御手段は、前記画面表示キーの押下操作が順次行われることによって、前記第一状態信号，第二状態信号，第三状態信号のうちいずれかを選択して入力映像信号に重畳するように制御することを特徴とする映像表示装置。
【請求項４】
請求項１乃至３のいずれか１項に記載の映像表示装置において、前記外部メモリへの録画時に、前記画面表示キー信号を受信すると、前記外部メモリ関連情報として、録画状態及び前記外部メモリへの録画時間、又は録画状態及び前記外部メモリへの残り録画可能時間を、画面上に表示することを特徴とする映像表示装置。
【請求項５】
請求項１乃至４のいずれか１項に記載の映像表示装置において、入力映像信号を前記外部メモリに録画する予約がなされた予約録画状態の時に、前記画面表示キー信号を受信すると、前記外部メモリ関連情報として、予約状態及び前記外部メモリへの残り録画可能時間、又は予約状態及び前記外部メモリへの静止画記録可能枚数を、画面上に表示することを特徴とする映像表示装置。
【請求項６】
請求項１乃至５のいずれか１項に記載の映像表示装置において、前記状態情報として前記入力映像信号の情報を画面上に表示している時に、前記画面表示キー信号を受信すると、前記入力映像信号の情報の表示を縮小表示に切り替えることを特徴とする映像表示装置。
【請求項７】
請求項６に記載の映像表示装置において、前記状態情報として前記入力映像信号の情報を画面上に縮小表示している時に、前記画面表示キー信号を受信すると、前記入力映像信号の情報の表示を非表示にすることを特徴とする映像表示装置。
【請求項８】
請求項１乃至７のいずれか１項に記載の映像表示装置において、画面上への前記入力映像情報が非表示であり、且つ前記状態情報として前記外部メモリ関連情報を画面上に表示している時に、前記画面表示キー信号を受信すると、前記外部メモリ関連情報の表示を非表示にすることを特徴とする映像表示装置。
【発明の詳細な説明】
【技術分野】
【０００１】
本発明は、映像表示装置、より詳細には、外部メモリ読み取り機能付きの映像表示装置に関し、特にテレビジョン受像機として適用可能な映像表示装置に関する。
【背景技術】
【０００２】
テレビジョン受像機等、映像や画像を表示する映像表示装置は、現在画面（ディスプレイ）上に表示しているソースなどを視聴者であるユーザに理解させるために、或いはスクリーンの表示位置やスクリーンサイズなど各種設定値をディスプレイ上で確認しながら設定可能とするために、ＯＳＤ（Ｏｎ  Ｓｃｒｅｅｎ  Ｄｉｓｐｌａｙ）機能を備えている。近年、表示装置に入力可能なソースの数が増加したこと、その他様々な付加機能の追加によってその付加機能の設定数も増加したことにより、ＯＳＤ機能は益々表示装置には欠かせない機能となっている。
【０００３】
ＯＳＤ機能のうち入力ソース等のディスプレイ表示に関し、その入力ソースに関する記録ビットレート，残り時間，録画チャンネル，録画日時の各種項目を同時表示する画像録画再生装置が提案されている（例えば、特許文献１を参照）。
【特許文献１】特開平１１−１７６０９６号公報
【発明の開示】
【発明が解決しようとする課題】
【０００４】
しかしながら、近年組み込まれたソースのデータ、例えばＰＣカード等のメモリカードなどの外部メモリに関連するデータ（記録状態などのデータ）を画面上に表示したい場合、入力切替ボタン等によって映像表示装置が外部メモリへの読み込み状態又は記録状態に入ってからでないと実行できず、外部メモリに関連する情報を、煩雑な操作なく参照することができない。
【０００５】
さらに、メモリカード等の外部メモリの記録状態などのデータを画面上に表示するためには、「ＯＳＤのメニュー画面をメニューキー等から呼び出してカーソルキーで所定項目を選択し、決定する」といった操作が必要であり、このような操作は複雑であり、且つ録画時の誤操作を引き起こしかねない。
【０００６】
実際、テレビジョン受像機におけるテレビ放送を受信して画面に映像化している最中など、入力映像信号を映像表示装置の画面に表示しているときにも、ユーザは外部メモリの残り時間などを参照したいことが多々あり、従来の映像表示装置では、上述のごとくそのような時にダイレクトで表示する手段がなく、煩わしい操作にユーザが困惑せざるを得なかった。
【０００７】
また、特許文献１に記載のごとく、ディスプレイ上に一度に表示する表示項目数をあまり多くすると、各種情報が画面いっぱいに表示されることもあり、ユーザにとって邪魔な情報も表示されることが多い。例えば、録画チャンネルは一回参照できれば十分であり、外部メモリの録画可能時間を認識するための残り時間は記録終了間際に表示されているほうが良いと考えるユーザも少なくない。しかしながら、これら各項目を表示するためのキーを１項目ずつ設けるのはリモコンのボタン数の増加につながり、リモコンキー構成の簡易性がかえって問題になることもある。
【０００８】
本発明は、上述のごとき実情に鑑みてなされたものであり、チャンネル番号や外部入力端子などを表す、入力映像信号に関する情報だけでなく、記録する外部メモリなどのメディアの残容量や記録状態などの状態情報を、ユーザがリモコン装置によるダイレクト操作によって容易に確認することが可能な、映像表示装置を提供することをその目的とする。
【課題を解決するための手段】
【０００９】
本発明は、上述のごとき課題を解決するために以下の各技術手段により構成される。
第１の技術手段は、リモコン装置により操作可能な、外部メモリ読み取り機能付きの映像表示装置において、前記リモコン装置は、当該映像表示装置の状態に関する状態情報を画面上に表示する状態信号を送出表示するための画面表示キーを有し、当該映像表示装置は、前記リモコン装置における前記画面表示キーの押圧によって送信される画面表示キー信号を受信する受信手段と、該受信した画面表示キー信号によって前記状態信号を入力映像信号に重畳する処理を行う制御手段とを有し、前記状態信号は、前記状態情報として、現在画面に表示している入力映像信号の情報，外部メモリ関連情報のいずれか一方又は双方の情報を、画面上に表示する信号であることを特徴としたものである。
【００１０】
第２の技術手段は、リモコン装置により操作可能な外部メモリ読み取り機能付きの映像表示装置において、前記リモコン装置は、当該映像表示装置の状態に関する状態情報を画面上に表示する状態信号を送出表示するための画面表示キーを有し、当該映像表示装置は、前記リモコン装置における前記画面表示キーの押圧によって送信される画面表示キー信号を受信する受信手段と、前記画面表示キーの押圧操作によって当該映像表示装置の状態情報を表す状態信号が入力映像信号に重畳する処理を行う制御手段とを有し、前記状態信号は、前記画面表示キーの押圧操作の順次操作に応じて、前記状態情報として、現在画面に表示している入力映像信号の情報と外部メモリ関連情報とを、順次選択表示可能とする信号であることを特徴としたものである。
【００１１】
第３の技術手段は、第１又は第２の技術手段において、前記状態信号は、前記入力映像信号の情報及び前記外部メモリ関連情報のいずれもない第一状態信号と、前記入力映像信号の情報及び前記外部メモリ関連情報のいずれか一方を含む第二状態信号と、前記入力映像信号の情報及び前記外部メモリ関連情報の双方を含む第三状態信号とを含み、前記制御手段は、前記画面表示キーの押下操作が順次行われることによって、前記第一状態信号，第二状態信号，第三状態信号のうちいずれかを選択して入力映像信号に重畳するように制御することを特徴としたものである。
【００１２】
第４の技術手段は、第１乃至第３のいずれか１の技術手段において、前記外部メモリへの録画時に、前記画面表示キー信号を受信すると、前記外部メモリ関連情報として、録画状態及び前記外部メモリへの録画時間、又は録画状態及び前記外部メモリへの残り録画可能時間を、画面上に表示することを特徴としたものである。
【００１３】
第５の技術手段は、第１乃至第４のいずれか１の技術手段において、入力映像信号を前記外部メモリに録画する予約がなされた予約録画状態の時に、前記画面表示キー信号を受信すると、前記外部メモリ関連情報として、予約状態及び前記外部メモリへの残り録画可能時間、又は予約状態及び前記外部メモリへの静止画記録可能枚数を、画面上に表示することを特徴としたものである。
【００１４】
第６の技術手段は、第１乃至第５のいずれか１の技術手段において、前記状態情報として前記入力映像信号の情報を画面上に表示している時に、前記画面表示キー信号を受信すると、前記入力映像信号の情報の表示を縮小表示に切り替えることを特徴としたものである。
【００１５】
第７の技術手段は、第６の技術手段において、前記状態情報として前記入力映像信号の情報を画面上に縮小表示している時に、前記画面表示キー信号を受信すると、前記入力映像信号の情報の表示を非表示にすることを特徴としたものである。
【００１６】
第８の技術手段は、第１乃至第７のいずれか１の技術手段において、画面上への前記入力映像情報が非表示であり、且つ前記状態情報として前記外部メモリ関連情報を画面上に表示している時に、前記画面表示キー信号を受信すると、前記外部メモリ関連情報の表示を非表示にすることを特徴としたものである。
【発明の効果】
【００１７】
本発明の映像表示装置によれば、チャンネル番号や外部入力端子などを表す、入力映像信号に関する情報だけでなく、記録する外部メモリなどのメディアの残容量や記録状態などの状態情報を、ユーザがリモコン装置によるダイレクト操作によって容易に確認することが可能となる。特に「簡単構成で簡単操作」が要求されるテレビジョン装置に好適に適用できる。
【発明を実施するための最良の形態】
【００１８】
図１は、本発明の一実施形態に係る映像表示装置の一構成例を示すブロック図で、外部メモリ読み取り機能を備えたテレビジョン受像機として構成された本発明の映像表示装置の一例を示すものである。また、図２は、図１に示すリモコン装置の一例を示す外観図である。
【００１９】
映像表示装置１は、テレビジョン放送信号を受信するアンテナ１１と、アンテナ１１によって受信されたテレビジョン放送信号を映像検波し、映像信号及び音声信号を出力する受信部１２と、外部メモリのメディア例であるメモリカードＭが挿入されるスロット部１３と、スロット部１３に挿入されたメモリカードＭと通信を行う外部メモリ制御部１４と、受信部１２及び外部メモリ制御部１４から出力される信号とを切換える切換部１５と、切換部１５から出力された映像信号をＲ，Ｇ，Ｂ信号に変換して出力する映像処理部１６と、切換部１５から入力された音声信号を再生処理して出力する音声処理部１７と、映像処理部１６から出力された映像信号を入力するＣＲＴや液晶ディスプレイ等による表示部１８と、音声処理部１７から出力された音声信号を入力して音声出力するスピーカ１９と、各種データやプログラムを記憶するＲＯＭ２０と、リモコン装置３０から出力される赤外線を受光する受光部２１と、上記各要素を制御する制御部２２とを有している。但し、本発明の映像表示装置は、リモコン装置（リモートコントローラ）により操作可能な、外部メモリ読み取り機能付きのものであればよい。なお、受光部２２が本発明の前記受信手段に該当し、また制御部２２が本発明の前記制御手段に該当する。
【００２０】
メモリカードＭで例示する外部メモリとしては、スロット部挿入型のメディアだけでなく、ネットワークを介したロケーションにあるものも含め、各種メディアが挙げられる。また、メモリカードＭとしては、ＳＤメモリカード，マルチメディアカード，スマートメディア，コンパクトフラッシュ，メモリスティック（以上、登録商標）などの各種メディアのうち１又は複数に適合できるＰＣカードアダプタを採用することが好ましい。なお、ＰＣカードアダプタの現状の一般的仕様としては、例えばＰＣ−ＡＴＡカードタイプへの搭載が考えられる。
【００２１】
また、外部メモリに関する動作としては、映像や静止画や電子ブックファイルなどのコンテンツを記憶するためのメモリカードＭがスロット部１３に挿入された状態で、コンテンツ表示が指示された際には、制御部２２は、外部メモリ制御部１４を介して、再生可能なコンテンツリストをメモリカードＭから読み出して表示部１８に表示せしめる。そして、コンテンツリストから特定のファイルが選択され、決定キー３６Ｋが押されたならば、制御部２２は、該当するファイルをメモリカードＭから読み出して、切換部１５に送り、映像処理部１６／音声処理部１７で再生を行わせる。このような再生処理に加え、受信部１２から出力される映像信号及び音声信号などをメモリカードＭに映像データとして書き込む録画処理も実行可能である。
【００２２】
また、外部メモリ制御部１４には、各種外部機器からの映像信号（ＡＶ信号）を入力可能とするＩ／Ｆを設け、制御部２２からの指示に従って切換部１５に出力する信号を選択する所謂ＡＶセレクタとしての機能を持たせることができる。
【００２３】
また、本発明の映像表示装置としては、図１の構成に加えて通信回線を接続可能な通信Ｉ／Ｆを設け、通信回線を介して接続される図示しないサーバ装置から映像情報や電子ブックファイルの配信を受けるようにしてもよい。この場合、通信回線を用いて配信された映像情報や電子ブックファイルを、制御部２２に接続されたＲＡＭなどに保持しておき、それらの表示が指示された際には、制御部２２は、再生可能な映像情報や電子ブックリストをＲＡＭから読み出して、映像情報の場合には映像処理部１６，音声処理部１７を介して、表示部１８に表示せしめる。電子ブックファイルの場合には、電子ブックリストから特定のファイルが選択され、決定キー３６Ｋが押されたならば、制御部２２は、該当するファイルを読み出して、切換部１５に送り、映像処理部１６／音声処理部１７で再生を行わせる。
【００２４】
また、ＯＳＤメニュー表示においては、制御部２２は、ＲＯＭ２０に記憶したＯＳＤメニューデータを読み出して映像処理部１６に送り、映像処理部１６にて切換部１５から出力される映像信号にＯＳＤメニューを加算して合成画像信号を生成し、表示部１８でＯＳＤ表示させる。
【００２５】
図１におけるリモコン装置３０の一例としては、図２で示したキー構成と同様のキー構成をもったリモコン装置が適用される。リモコン装置３０には、電源キー３２，録画キー３３，静止画記録キー３４，動画／静止画／電子ブックの選択キー３５，入力切換キー３７，選局キー３８，割当選局キー３９や再生時又は録画時に使用する再生キー等のキー，音声調節キー，音声切換キー，ＯＳＤメニューキーなどの各種設定キーとともに、上方向の方向キー３６Ｕ，下方向の方向キー３６Ｄ，左方向の方向キー３６Ｌ，右方向の方向キー３６Ｒ，決定キー３６Ｋからなる選択キー３６が設けられ、さらに本発明の操作に係わる画面表示キー３１が設けられている。
【００２６】
本発明の特徴部分である、リモコン装置３０に備えられた画面表示キー３１は、映像表示装置１の状態に関する状態情報、すなわち映像表示装置１における作動（表示等）に関する作動情報や記録に関する情報などを、画面上に表示するための指示信号（以下、画面表示キー信号という）を映像表示装置１の受光部２１に送信するためのキーである。
【００２７】
映像表示装置１は、リモコン装置３０における画面表示キー３１の押圧によって送信される画面表示キー信号を受信すると、状態情報として、現在画面に表示している入力映像信号の情報を、画面上に表示（ＯＳＤ表示）する。この情報の例としては、チャンネル番号や外部入力端子などを表すものが採用できる。実際、映像表示装置１は、画面表示キー信号の受信により、映像表示装置１の状態に関する状態情報を映像表示装置１の画面上に表示するための状態信号を、画面側に送出し表示する。このとき、状態信号が入力映像信号に重畳する処理が行われる。なお、入力ソース等に係わるＯＳＤ表示は、リモコン装置３０の他のキーなどで、その表示設定を行えるようにしておけばよい。また、時刻表示などを加えて実行できるように設定できるようにしてもよい。
【００２８】
なお、アンテナ１１及び受信部１２で受信したテレビジョン放送信号は、入力映像信号の一例であり、外部メモリ自体からの入力映像信号も含め、ビデオデッキ等の映像再生装置などその他のソースからの入力映像信号も、現在画面（表示部１８の画面）に表示しているものとなることは多々ある。また、入力映像信号を画面に表示しているときは、実際には、通常、出力手段に相当する切換部１５，映像処理部１６，音声処理部１７，表示部１８，スピーカ１９で音声・動画共に出力されている。
【００２９】
図３は、図１の映像表示装置において画面上に表示した状態情報の例を示す図である。図３では、現在の入力映像信号が１２ｃｈのＴＶ放送信号である場合に、画面表示キー信号の受信に従って、非表示であった画面４０上に「１２」と大文字で右上隅に表示し、もう一度画面表示キー信号を受け取ることでその表示「１２」を小文字に切り替えて表示し、さらにもう一度画面表示キー信号を受け取ることで非表示に戻る、といった画面表示キー信号によるＯＳＤ表示例を示している。このように、状態情報として入力映像信号の情報を画面上に表示している時に、画面表示キー信号を受信すると、入力映像信号の情報の表示を縮小表示に切り替えるようにしてもよく、さらに、状態情報として入力映像信号の情報を画面上に縮小表示している時に、画面表示キー信号を受信すると、入力映像信号の情報の表示を非表示にする（すなわち消す）ようにしてもよい。
【００３０】
また、本実施形態では、映像表示装置１は、状態情報として、現在画面に表示している入力映像信号の情報をＯＳＤ表示すると同時に、或いはその代わりに、外部メモリにおける記録等に関する情報（以下、外部メモリ関連情報という）をＯＳＤ表示するようにする。この場合、状態信号は、状態情報として、現在画面に表示している入力映像信号の情報，外部メモリ関連情報のいずれか一方又は双方の情報を、画面上に表示する信号となる。外部メモリ関連情報の例としては、記録する外部メモリの残容量や記録状態などが挙げられる。また、状態信号は、画面表示キー３１の押圧操作の順次操作に応じて、状態情報として、現在画面に表示している入力映像信号の情報と外部メモリ関連情報とを、順次選択表示可能とする信号としてもよい。順次選択表示に拘わらず、状態信号は、入力映像情報（入力映像信号の情報）及び外部メモリ関連情報のいずれもない第一状態信号と、入力映像情報及び外部メモリ関連情報のいずれか一方を含む第二状態信号と、入力映像情報及び外部メモリ関連情報の双方を含む第三状態信号とを含むようにしておき、前記制御手段は、画面表示キー３１の押下操作が順次行われることによって、第一状態信号，第二状態信号，第三状態信号のうちいずれかを選択して入力映像信号に重畳するように制御するようにしてもよい。
【００３１】
なお、映像表示装置１内部にメモリが内蔵されていた場合、その内部メモリにおける記録に関する情報も、上述の２つのＯＳＤ表示と共に或いはその一方又は双方の代わりに、同様にＯＳＤ表示するようにしてもよい。なお、ＯＳＤ表示する各項目は、入力映像信号の画面表示の見易さを鑑みて、改行表示且つ画面端側へ端揃えするようにすることが好ましい。また、一般的なＯＳＤ機能付きディスプレイでは、操作がなされず一定時間が経過すると自動的にＯＳＤの表示を消去するようになっており、本発明においてもこのような自動消去を採用してもよい。
【００３２】
外部メモリ関連情報のＯＳＤ表示は、外部メモリへの録画時に、画面表示キー信号を受信することで実行するようにしてもよい。その場合、外部メモリ関連情報として、録画状態及び外部メモリへの録画時間（記録時間）、又は録画状態及び外部メモリへの残り録画可能時間を、画面上に表示するようにするとよい。また、外部メモリ関連情報のＯＳＤ表示は、入力映像信号を外部メモリに録画する予約がなされた予約録画状態（録画予約スタンバイ中）の時に、画面表示キー信号を受信することで実行するようにしてもよい。その場合、外部メモリ関連情報として、予約状態及び外部メモリへの残り録画可能時間、又は予約状態及び外部メモリへの静止画記録可能枚数を、画面上に表示するようにするとよい。一方で、図３で説明したＯＳＤ表示例は、所謂、通常時の表示例となる。
【００３３】
また、画面上への入力映像信号の情報が非表示であり、且つ状態情報として記録に関する情報を画面上に表示している時に、画面表示キー信号を受信すると、記録に関する情報の表示を非表示にするようにしてもよい。
【００３４】
ここで、上記「録画時間」，「残り時間」のＯＳＤパターン表示について説明する。録画中には、「録画時間」，「残り時間」といった項目（時間に関する情報）は時々刻々変動するが、この表示方法に関してはＯＳＤパターンとして固定パターンを有しているわけではない。つまり、リアルタイムに時刻表示をするために、タイマや外部メモリ制御部１４からの時刻に相当する読み値に応じて、予めＲＯＭ２０に記憶させた所定数字を、例えばマイコン等の制御部２２に内蔵されたキャラクタジェネレータが各数字データ或いはパターンを呼び出して時々刻々ＯＳＤパターンを形成して表示を行う。なお、本発明に使用するキャラクタジェネレータについてはマイコンに内蔵されたものに限定されず、制御用マイコンとは別に設けられたＯＳＤマイコン等に内蔵されたジェネレータや、その他のＩＣ（例えばＤＶＩケーブルコネクタを受けるＤＶＩレシーバ）に内蔵されたジェネレータでも良い。
【００３５】
本実施形態に係る映像表示装置によれば、チャンネル番号や外部入力端子などを表す、入力映像信号に関する情報だけでなく、記録する外部メモリなどのメディアの残容量や記録状態などの状態情報を、ユーザがリモコン装置によるダイレクト操作によって容易に確認することが可能となる。このダイレクト操作による状態情報の表示により、ＯＳＤメニュー画面を呼び出し、複雑なキー操作が不要なので、ユーザの誤操作が起こり難い。また、通常時，録画時，予約録画時の各モードに応じて必要項目数を違えて適宜表示しているので、必要時に必要項目数を１つのキー操作で適当に表示できるようにユーザが調整可能になる。
【００３６】
図４は、本発明による映像表示装置の処理の動作の一例について説明するためのフローチャートである。また、図５は、図１の映像表示装置において画面上に表示した状態情報の例を示す図で、図５（Ａ）は映像表示装置が予約録画状態のときの例を、図５（Ｂ）は映像表示装置が外部メモリへ録画中のときの例を、それぞれ示している。以下、図４のフローチャートに従って、図５を参照しながら、本発明の映像表示装置の処理の一例について説明する。なお、リモコン装置３０による操作は、テレビジョン受像機等、映像表示装置１の本体の操作部によっても実行可能であるが、以下の処理例は、リモコン装置３０のみを使用して操作するときの動作を説明するものである。
【００３７】
まず、映像表示装置１の制御部２２は、少なくとも、ユーザがリモコン装置３０の電源キー３２を用いて電源をＯＮした状態で、リモコン装置３０の画面表示キー３１が押下されたかどうかを監視する（ステップＳ１）。制御部２２は、画面表示キー３１が押下されたものと判断すると、メモリカードＭが挿入済みか否かを判断する（ステップＳ２）。そして、制御部２２は、メモリカードＭが挿入済みであると判断された場合、予約録画スタンバイ中か否かを判断し（ステップＳ３）、予約録画スタンバイ中であると判断すると、録画中か否かを判断する（ステップＳ４）。ステップＳ２〜Ｓ４における判断によって、映像表示装置１の作動状態を判断できる。ここで、ステップＳ２〜Ｓ４における判断の順序は問わない。なお、後述の各表示項目は、ＲＯＭ２０に項目情報を格納しておき、そこから読み出すことで表示すればよい。
【００３８】
ステップＳ２〜Ｓ４における判断によって、録画中であることが判断されると、制御部２２は、図５（Ｂ）のように、（１）チャンネル番号／入力映像信号（大文字）４１、（２）『録画中』，『一時停止』等４６、（３）記録時間４７及び／又はメモリの残り録画可能時間４８、の各表示項目を、画面４０上に表示するよう制御する（ステップＳ５）。制御部２２は、ステップＳ５で項目表示中に、再度、画面表示キー３１が押下されたかどうかを監視する（ステップＳ６）。一定期間押下されなかった場合に項目表示を消去するようにしてもよい。ステップＳ６で押下されたと判断された場合、制御部２２は、（１）チャンネル番号／入力映像信号（小文字）４１、（２）『録画中』，『一時停止』等４６、（３）記録時間４７及び／又はメモリの残り録画可能時間４８、の各表示項目を、画面４０上に表示するよう制御する（ステップＳ７）。
【００３９】
制御部２２は、ステップＳ７で項目表示中に、再度、画面表示キー３１が押下されたかどうかを監視する（ステップＳ８）。一定期間押下されなかった場合に項目表示を消去するようにしてもよい。ステップＳ８で押下されたと判断された場合、制御部２２は、（２）『録画中』，『一時停止』等４６、（３）記録時間４７及び／又はメモリの残り録画可能時間４８、の各表示項目を、画面４０上に表示するよう制御する（ステップＳ９）。制御部２２は、ステップＳ９で項目表示中に、再度、画面表示キー３１が押下されたかどうかを監視し（ステップＳ１０）、押下されたと判断された場合、制御部２２は全ての項目を非表示にし、ステップＳ１に戻る（ステップＳ１１）。ステップＳ１０で一定期間押下されなかった場合にも項目表示を全消去するようにしてもよい。
【００４０】
ステップＳ２〜Ｓ４における判断によって、予約録画スタンバイ中であることが判断されると、制御部２２は、図５（Ａ）のように、（１）チャンネル番号／入力映像信号（大文字）４１、（２）『予約スタンバイ中』等４２、（３）メモリの残り枚数４４及び／又は残り時間４５（及びファイン，ノーマル等を示す画像記録モード４３）、の各表示項目を、画面４０上に表示するよう制御する（ステップＳ１２）。制御部２２は、ステップＳ１２で項目表示中に、再度、画面表示キー３１が押下されたかどうかを監視する（ステップＳ１３）。一定期間押下されなかった場合に項目表示を消去するようにしてもよい。ステップＳ１３で押下されたと判断された場合、制御部２２は、（１）チャンネル番号／入力映像信号（小文字）４１、（２）『予約スタンバイ中』等４２、（３）メモリの残り枚数４４及び／又は残り時間４５（及び画像記録モード４３）、の各表示項目を、画面４０上に表示するよう制御する（ステップＳ１４）。
【００４１】
制御部２２は、ステップＳ１４で項目表示中に、再度、画面表示キー３１が押下されたかどうかを監視する（ステップＳ１５）。一定期間押下されなかった場合に項目表示を消去するようにしてもよい。ステップＳ１５で押下されたと判断された場合、制御部２２は、（２）『予約スタンバイ中』等４２、（３）メモリの残り枚数４４及び／又は残り時間４５（及び画像記録モード４３）、の各表示項目を、画面４０上に表示するよう制御する（ステップＳ１６）。制御部２２は、ステップＳ１６で項目表示中に、再度、画面表示キー３１が押下されたかどうかを監視し（ステップＳ１７）、押下されたと判断された場合、制御部２２は全ての項目を非表示にし、ステップＳ１に戻る（ステップＳ１１）。ステップＳ１７で一定期間押下されなかった場合にも項目表示を全消去するようにしてもよい。
【００４２】
ステップＳ２〜Ｓ４における判断によって、録画中でも予約録画スタンバイ中でもなく、通常であることが判断されると、制御部２２は、（１）チャンネル番号／入力映像信号（大文字）、の表示項目を、画面４０上に表示するよう制御する（ステップＳ１８）。制御部２２は、ステップＳ１８で項目表示中に、再度、画面表示キー３１が押下されたかどうかを監視する（ステップＳ１９）。一定期間押下されなかった場合に項目表示を消去するようにしてもよい。ステップＳ１９で押下されたと判断された場合、制御部２２は、（１）チャンネル番号／入力映像信号（小文字）、の表示項目を、画面４０上に表示するよう制御する（ステップＳ２０）。
【００４３】
制御部２２は、ステップＳ２０で項目表示中に、再度、画面表示キー３１が押下されたかどうかを監視する（ステップＳ２１）。ステップＳ２１で押下されたと判断された場合、制御部２２は全ての項目を非表示にし、ステップＳ１に戻る（ステップＳ１１）。ステップＳ２１で一定期間押下されなかった場合にも項目表示を全消去するようにしてもよい。
【００４４】
なお、本発明が上記各実施形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００４５】
【図１】本発明の一実施形態に係る映像表示装置の一構成例を示すブロック図である。
【図２】図１に示すリモコン装置の一例を示す外観図である。
【図３】図１の映像表示装置において画面上に表示した状態情報の例を示す図である。
【図４】本発明による映像表示装置の処理の動作の一例について説明するためのフローチャートである。
【図５】図１の映像表示装置において画面上に表示した状態情報の例を示す図である。
【符号の説明】
【００４６】
１…映像表示装置、１１…アンテナ、１２…受信部、１３…スロット部、１４…外部メモリ制御部、１５…切換部、１６…映像処理部、１７…音声処理部、１８…表示部、１９…スピーカ、２０…ＲＯＭ、２１…受光部、２２…制御部、３０…リモコン装置、３１…画面表示キー、３２…電源キー、３３…録画キー、３４…静止画記録キー、３５…動画／静止画／電子ブックの選択キー、３６…選択キー、３６Ｕ…方向キー（上）、３６Ｄ…方向キー（下）、３６Ｌ…方向キー（左）、３６Ｒ…方向キー（右），３６Ｋ…決定キー、３７…入力切換キー、３８…選局キー、３９…割当選局キー。
【図１】
2005197954.tif 000003
【図２】
2005197954.tif 000004
【図３】
2005197954.tif 000005
【図４】
2005197954.tif 000006
【図５】
2005197954.tif 000007